(57)【要約】【課題】  被包装物の識別情報を表示した表示シールを容易に剥離して使用することができる包装用箱を提供する。【解決手段】  包装用箱１は、箱本体１０と、識別情報が表示された表示シール３１とを備える。箱本体１０の一側面には、この側面の稜線１２１と弱め線２１とに囲まれる変形領域２０が設けられている。表示シール３１には貼付部３１１とつまみ部３１２とが設けられている。表示シール３１は、箱本体１０の一側面に剥離可能に貼設されるとともに、変形領域２０内に表示シール３１のつまみ部３１２が配置されている。変形領域２０が外部からの押圧で変形することで、表示シール３１のつまみ部が箱本体１０から浮き上がり、容易に剥離することができる。【選択図】  図１
2019119503.tif 000002
【特許請求の範囲】
【請求項１】
箱本体と、識別情報が表示された表示シールとを備える包装用箱であって、
前記表示シールは、前記箱本体の一側面に剥離可能に貼設され、
前記一側面には、この側面の稜線と弱め線とに囲まれる変形領域が設けられ、前記表示シールの少なくとも一部が前記変形領域内に配設されていることを特徴とする包装用箱。
【請求項２】
請求項１に記載の包装用箱において、
前記表示シールには貼付部とつまみ部とが設けられ、前記変形領域に前記表示シールのつまみ部が配置されていることを特徴とする包装用箱。
【請求項３】
請求項２に記載の包装用箱において、
前記つまみ部は裏面の粘着性が前記貼付部の裏面の粘着性よりも弱められていることを特徴とする包装用箱。
【請求項４】
請求項１〜３のいずれか一つの請求項に記載の包装用箱において、
前記表示シールは剥離基材に貼り合わされ、前記剥離基材を介して前記一側面に貼設されていることを特徴とする包装用箱。
【発明の詳細な説明】
【技術分野】
【０００１】
本発明は、表示シールを備えた包装用箱に関する。
【背景技術】
【０００２】
従来、医薬製剤や医薬品アンプル等の被包装物を包装するための包装用箱に、被包装物に関する情報を表示した表示カードが一体的に設けられたものがある。この種の包装用箱には、箱本体から表示カードを切り取るための切り取りラインが形成されており、切り取られた表示カードは被包装物の識別情報として、包装用箱から取り出された被包装物と共に保管されていた。
【０００３】
例えば特許文献１には、前記切り取りラインの形状を種々工夫することで、ハサミ等を用いずに表示カードを切り離すことが可能な包装用箱が提案されている。
【先行技術文献】
【特許文献】
【０００４】
【特許文献１】実用新案登録第３１８４６０４号公報
【発明の概要】
【発明が解決しようとする課題】
【０００５】
前記従来の包装用箱は、表示カードを切り離すのに手間がかかるうえ、切り離した表示カードを被包装物に接着テープ等で貼り付けておかなければ紛失するおそれがあった。そのため、切り離しに手間がかからず、被包装物に容易に貼り付けられるよう、前記のような表示カードではなく、裏面に粘着性を有する表示シールとされることが望まれた。しかし、箱本体の表面に表示シールを単に貼り付けて設けたものであると、表示シールを剥がすのが困難であったり、綺麗に剥がし取ることができなかったりする可能性があった。
【０００６】
本発明は、前記従来の問題点にかんがみてなされたものであり、その目的とするところは、被包装物の識別情報を表示した表示シールを側面に設けるとともに、その表示シールを容易に剥がし取ることができるよう構成して、被包装物の識別管理等に便利な包装用箱を提供することにある。
【課題を解決するための手段】
【０００７】
前記の目的を達成するための本発明の解決手段は、箱本体と、識別情報が表示された表示シールとを備える包装用箱を前提とする。この包装用箱として、前記表示シールを、前記箱本体の一側面に剥離可能に貼設し、前記一側面には、この側面の稜線と弱め線とに囲まれる変形領域を設けている。そして、前記表示シールの少なくとも一部を前記変形領域内に配設した構成としている。
【０００８】
この特定事項により、前記変形領域が前記弱め線に沿って容易に変形しうる構造となり、この変形領域を凹ませることで変形領域内に配設された前記表示シールの一部をめくりやすくすることができ、前記表示シールを前記箱本体から容易に剥がし取って利用することが可能となる。
【０００９】
前記包装用箱におけるより具体的な構成として、前記表示シールに貼付部とつまみ部とを設けて、前記変形領域に前記表示シールのつまみ部を配置することが好ましい。また、前記つまみ部は裏面の粘着性が前記貼付部の裏面の粘着性よりも弱められることが好ましい。
【００１０】
これにより、前記変形領域を凹ませると、前記表示シールのつまみ部が前記箱本体の一側面から浮き上がり、前記箱本体から表示シールを剥がしやすくすることができる。
【００１１】
また、前記構成の包装用箱において、前記表示シールの裏面の貼付部を剥離基材に貼り合わせて形成し、前記剥離基材を介して前記箱本体の一側面に貼設することが好ましい。
【００１２】
これにより、前記箱本体の一側面に前記表示シールを簡単な構成でかつ確実な剥離性を備えさせて設けることが可能となる。
【発明の効果】
【００１３】
本発明では、箱本体の一側面に前記変形領域を設け、この変形領域に表示シールの少なくとも一部を配設した構成としている。このため、前記変形領域を凹み変形させて前記表示シールを容易に剥がし取ることができ、手間をかけることなく、前記表示シールを被包装物に貼り付けるなどして利用することが可能となる。
【図面の簡単な説明】
【００１４】
【図１】本発明の実施形態に係る包装用箱を示す斜視図である。
【図２】前記包装用箱における表示シールの構成を示す説明図である。
【図３】前記包装用箱の変形状態を示す断面図である。
【図４】前記包装用箱から表示シールを剥がす様子を示す説明図である。
【図５】前記包装用箱の他の構成例を示す側面図である。
【発明を実施するための形態】
【００１５】
本発明に係る包装用箱の実施形態について、図面を参照しつつ説明する。図１は、本発明の実施形態に係る包装用箱を示す斜視図である。
【００１６】
この実施形態に係る包装用箱１は、図１に示すように、矩形筒状の箱体であり、天面側と底面側がそれぞれ閉塞されている。包装用箱１は、箱本体１０と表示シール３１とを有している。箱本体１０は、例えば厚紙等の一枚のシート材から打ち抜かれたブランクシートを組み立てて形成されている。
【００１７】
例示の形態では、箱本体１０は、正面板１１、第一側面板１２、背面板１３、および第二側面板１４が順に連接されて矩形状の断面を構成している。正面板１１と背面板１３はほぼ同形であり、互いに対向して配設されている。また、第一側面板１２と第二側面板１４はほぼ同形であり、互いに対向して配設されている。
【００１８】
図１に示す状態で、正面板１１の天面側には外蓋片１５が連設されて、箱本体１０の天面（図中上方の面）を覆っている。正面板１１には、外蓋片１５から底面方向に略台形状をなすように破断線１１１が設けられ、この破断線１１１と、外蓋片１５との稜線とで囲まれた開封部１６が備えられている。正面板１１の底面側にも、外蓋片１５とほぼ同形の底蓋片１７が連設され、底蓋片１７から天面方向に略半円形状をなすように破断線１１２が設けられている。
【００１９】
背面板１３の天面側には内蓋片１８が延設され、外蓋片１５に接合されている。内蓋片１８の下には、第一側面板１２および第二側面板１４に延設されたフラップが重ねられている。フラップと第一側面板１２との間、および図示しないフラップと第二側面板１４との間はミシン目状の折れ線１２２で区切られている。背面板１３と内蓋片１８との間もミシン目状の折れ線１２２で区切られている（図４参照）。背面板１３の底面側も同様の構造とされて閉塞されている。包装用箱１を開封するときには、正面板１１の開封部１６を指等で押圧し、破断線１１１を破断させることで、外蓋片１５を容易に開放することができる。
【００２０】
このような箱本体１０を備える包装用箱１には、例えば、外筒内に注射剤が予め封入されたプレフィルドシリンジや、医薬製剤が封入されたアンプルやバイアル等の密封容器などの被包装物が納められる。包装用箱１には複数の表示シール３１を含む表示シール部３０が備えられている。
【００２１】
図２は、包装用箱１における表示シール部３０の構成を示す説明図である。表示シール部３０の表示シール３１には、包装用箱１に収納された被包装物に関する識別情報が表示される。識別情報としては、例えば、医薬製剤等の名称、内容量、使用期限、製造番号、製造会社名、バーコード等の各種コードなどが挙げられる。また、識別情報には、医薬製剤の用法や注意事項等も含まれることがある。識別情報は、文字や記号などで表示シール３１に表される。表示シール３１は、被包装物の外面に貼り付けたり、カルテ等に貼り付けたりして用いられる。
【００２２】
表示シール部３０は、箱本体１０において変形領域２０を有する面に設けられる。例示の形態では、変形領域２０は箱本体１０の第一側面板１２の天面寄りに設けられており、これに重ねて表示シール部３０が設けられている。
【００２３】
第一側面板１２には、第一側面板１２と正面板１１との稜線１２１、および弱め線２１により囲まれた変形領域２０が設けられている。弱め線２１は、第一側面板１２の上部から中間部にかけて延設されており、稜線１２１に平行な直線部２１１と、稜線１２１の方向にカーブした曲線部２１２とを有する。
【００２４】
弱め線２１は、箱本体１０を構成するシート材の厚み方向に任意量を切り込んだハーフカットにより施されることが好ましい。また、弱め線２１は、薄肉状またはミシン目状に設けられてもよく、これらとハーフカットとの併用により形成されてもよい。このような弱め線２１は、箱本体１０の外面側から内面側に向かって厚み方向に形成されている。これにより、弱め線２１は、第一側面板１２の外面方向に膨らむ山折れ状に、容易に折曲げられるように形成されている。
【００２５】
表示シール部３０は、剥離基材３２と、剥離基材３２上の複数の表示シール３１とを有している。各表示シール３１は剥離基材３２の表面に貼り合わされている。
【００２６】
図２に示す形態では、各表示シール３１は、貼付部３１１とつまみ部３１２とを有している。つまみ部３１２は、表示シール３１の一端部に部分的に設けられている。
【００２７】
剥離基材３２は、複数の表示シール３１よりも大きく、かつ第一側面板１２の幅に納まる大きさを有している。剥離基材３２は、表面が剥離処理されており表示シール３１の剥離性を備えている。剥離基材３２の裏面は、粘着性を有しており、第一側面板１２の表面に貼り付けられる。
【００２８】
表示シール３１は、裏面に粘着性を有する。一例として、貼付部３１１の裏面には図示しない粘着剤が備えられて粘着性を有し、被包装物等に貼付け可能とされている。これに対し、つまみ部３１２の裏面は、粘着強度が貼付部３１１のものよりも弱められた弱粘着剤が設けられ、弱粘着性を有している。これにより、つまみ部３１２は、貼付部３１１よりも、剥離基材３２から分離しやすい状態で剥離基材３２の表面に備えられている。
【００２９】
また、他の例として、表示シール３１は、貼付部３１１の裏面が粘着性を有するのに対し、つまみ部３１２の裏面が粘着剤を備えずに非粘着性で形成されて、剥離基材３２に貼り付かないように形成されてもよい。表示シール３１は少なくとも貼付部３１１において粘着性を有していればよい。このような表示シール部３０における裏面粘着強度は、剥離基材３２が最も強く、箱本体１０の表面に剥離不能に貼り付けられており、表示シール部３０のつまみ部３１２が最も弱いものとされている。
【００３０】
表示シール部３０は、剥離基材３２が透明又は半透明にて形成されている。これに対し、各表示シール３１は白色などの不透明色にて形成されている。これにより、第一側面板１２上における表示シール３１の視認性が高められている。
【００３１】
図２に示すように、表示シール部３０は、剥離基材３２が第一側面板１２に貼り付けられて箱本体１０に備えられる。剥離基材３２は、第一側面板１２の変形領域２０に、表示シール３１のつまみ部３１２が位置するように貼り付けられる。これにより、複数の表示シール３１が、剥離基材３２を介して第一側面板１２に剥離可能な状態で備えられる。
【００３２】
なお、表示シール部３０は、変形領域２０に重ねて設けられる構成であれば、箱本体１０の第一側面板１２、第二側面板１４、正面板１１および背面板１３のうち、いずれの面に設けられていてもよい。
【００３３】
第一側面板１２と正面板１１との稜線１２１、および弱め線２１により囲まれた変形領域２０は、外方から押圧されることで弱め線２１が山折れ状となって凹み変形する。図３は、箱本体１０を変形させた状態を示す断面図であり、図４は箱本体１０から表示シール３１を剥がす様子を示す説明図である。
【００３４】
図３に示すように、変形領域２０は押圧されることで凹み、第一側面板１２が弱め線２１に沿って山折れ状に変形する。第一側面板１２が変形することで、表示シール３１は変形領域２０上にあるつまみ部３１２が、第一側面板１２から浮き上がる。すなわち、表示シール３１の一端部には、第一側面板１２との間に、手指を差し入れる隙間が形成される。
【００３５】
図４に示すように、箱本体１０が開封され、変形領域２０を凹み変形させることで、表示シール３１の一端部（つまみ部３１２）を容易につまむことができ、表示シール３１を簡単に剥がすことができる。剥がし取った表示シール３１は、被包装物の外面等に貼り付けて使用されたり、カルテ等に貼り付けられたりする。
【００３６】
このような複数の表示シール３１を備える表示シール部３０と変形領域２０とは、箱本体１０のどの面のどのような位置に設けられてもよい。図５（ａ）および図５（ｂ）は、包装用箱１の他の構成例をそれぞれ示す側面図である。例えば、図５（ａ）に示すように、包装用箱１は、第一側面板１２の長さ方向の中間部に変形領域２０と表示シール部３０とが配置される構成であってもよい。この場合、変形領域２０を囲む弱め線２１は、直線部２１１の両端部に曲線部２１２が設けられている。また、図５（ｂ）に示す例では、変形領域２０および表示シール部３０は、第一側面板１２の底面寄りに配置されている。この場合、変形領域２０を囲む弱め線２１は、底面側から直線部２１１と曲線部２１２とが順に延設されている。
【００３７】
以上、説明した実施形態に係る包装用箱１によれば、表示シール３１の一端部が変形領域２０内に配設されているので、変形領域２０を押圧して変形させることで、表示シール３１を手間なく容易に剥がし取ることが可能となる。また、剥がし取った表示シール３１を被包装物等に貼り付けて用いることができ、被包装物の識別管理に好適に利用することができる。
【００３８】
なお、前記実施形態に係る包装用箱１は、すべての点で例示であって、限定的な解釈の根拠となるものではない。本発明の技術的範囲は、前記実施形態のみによって解釈されるものではなく、特許請求の範囲に基づくものとされる。また、本発明の技術的範囲には、特許請求の範囲と均等の意味および範囲内でのすべての変更が含まれる。
【００３９】
なお、表示シール３１は必ずしも剥離基材３２を介して箱本体１０に貼設されなくともよく、箱本体１０表面の少なくとも一部分に剥離性を備えさせておき、直接、表示シール３１が貼り付けられた構成であってもよい。また、表示シール３１の形状、数、および貼付部３１１とつまみ部３１２との構成等は、前記した形態に限定されるものではなく、どのように構成されてもよい。また、表示シール３１には、つまみ部３１２が必ずしも設けられずともよく、つまみ部３１２が備えられずとも変形領域２０を変形させることで表示シール３１を剥がしやすくすることができる。包装用箱１に収納される被包装物は、医薬製剤を封入したプレフィルドシリンジやアンプル等に特に限定されるものではなく、例えば医薬品を内方したチューブ等や、医薬品以外の各種製品であってもよい。
【産業上の利用可能性】
【００４０】
本発明は、各種製品を収納する包装用箱として好適に利用可能である。
【符号の説明】
【００４１】
１      包装用箱
１０    箱本体
１１    正面板
１２    第一側面板
１２１  稜線
１３    背面板
１４    第二側面板
１５    外蓋片
１６    開封部
１７    底蓋片
２０    変形領域
２１    弱め線
２１１  直線部
２１２  曲線部
３０    表示シール部
３１    表示シール
３１１  貼付部
３１２  つまみ部
３２    剥離基材
【図１】
2019119503.tif 000003
【図２】
2019119503.tif 000004
【図３】
2019119503.tif 000005
【図４】
2019119503.tif 000006
【図５】
2019119503.tif 000007